(57)【特許請求の範囲】
【請求項１】
横方向に貫通する通し穴を側面の両端部寄りに設けて複数個直列に並ぶセンター駒と、軸両端部を外方に突出させてセンター駒の各通し穴に挿通する連結ピンと、各センター駒の隣り合う通し穴より突出する連結ピンの軸端部を差し込む止め穴を側面の両端部寄りに設けて各センター駒の両側で隣り合う側部間に亘るサイド駒とから組み立てられる超硬合金、セラミックス等の超硬質材料で形成される腕時計用バンドにおいて、
軸径を細くする段部をサイド駒の止め穴に差し込む軸両端部に設けた連結ピンと、サイド駒の止め穴に至る座ぐり穴を内面側より設けたサイド駒と、そのサイド駒の座ぐり穴に嵌り込んで連結ピンの段部に係合する略半円形の係止部を先端寄り側縁に有する一対の掛止め突起を設けたストッパ片とを備え、軸両端部を外方に突出させて連結ピンを各センター駒の通し穴に挿通し、このセンター駒の隣り合う通し穴より突出する連結ピンの各軸端部をサイド駒の止め穴に差し込んでセンター駒をサイド駒で両側から保持し、更に、ストッパ片をサイド駒の座ぐり穴に嵌め込み、且つ、そのストッパ片の突起を相隣り合う連結ピンの相対間から各段部に弾圧係合させてサイド駒を連結ピンで保持した連鎖部を具備してなることを特徴とする腕時計用バンド。
【請求項２】
上記センター駒と相対する側より他側面まで貫通しない止め穴を設けたサイド駒を備えて組み立てた連鎖部を具備してなることを特徴とする請求項１に記載の腕時計用バンド。
【発明の詳細な説明】
【０００１】
【発明の属する技術分野】
本発明は、腕時計用バンドの改良に関するものである。
【０００２】
【従来の技術】
従来、腕時計用バンドとしては、横方向に貫通する通し穴を側面の両端部寄りに設けて複数個直列に並ぶセンター駒と、軸両端部を外方に突出させてセンター駒の各通し穴に挿通する連結ピンと、各センター駒の隣り合う通し穴より突出する連結ピンの軸端部を差し込む止め穴を側面の両端部寄りに設けて各センター駒の両側で隣り合う側部間に亘るサイド駒とを組立部品として構成するものがある。
【０００３】
その腕時計用バンドは、通常、センター駒の各通し穴より外方に突出する連結ピンの各軸端部をサイド駒の止め穴に圧入嵌着し、サイド駒を連結ピンで保持すると共に、センター駒をサイド駒で両側から保持することにより連鎖状に組み立てられている。
【０００４】
然し、その腕時計用バンドでは、止め穴の口径並びに連結ピンの両軸径を厳格に管理しなければならず、この各成形に手間が掛ると共に、連結ピンの各軸端部をサイド駒の止め穴に圧入嵌着するのも慎重に行わなければならないから組み立てにも手間を要する。
【０００５】
特に、センター駒並びにサイド駒を超硬合金，セラミックス等の超硬質材料から形成するものでは、特殊な放電加工技術を細孔加工で適用する必要があり、その細孔加工による成形に手間が掛る。
【０００６】
【発明が解決しようとする課題】
本発明は、センター駒の各通し穴より外方に突出する連結ピンの各軸端部をサイド駒の止め穴に圧入嵌着する構成によらないで、サイド駒を連結ピンで確実に保持できると共に、センター駒をサイド駒で両側から確実に保持させて組立可能な腕時計用バンドを提供することを目的とする。
【０００７】
上述した課題に加えて、本発明は構造的に簡単な部品から容易に組み立てられ、また、体裁よく組み立られる腕時計用バンドを提供することを目的とする。
【０００８】
【課題を解決するための手段】
本発明の請求項１に係る腕時計用バンドにおいては、横方向に貫通する通し穴を側面の両端部寄りに設けて複数個直列に並ぶセンター駒と、軸両端部を外方に突出させてセンター駒の各通し穴に挿通する連結ピンと、各センター駒の隣り合う通し穴より突出する連結ピンの軸端部を差し込む止め穴を側面の両端部寄りに設けて各センター駒の両側で隣り合う側部間に亘るサイド駒とから組み立てられる超硬合金、セラミックス等の超硬質材料で形成される腕時計用バンドにおいて、
軸径を細くする段部をサイド駒の止め穴に差し込む軸両端部に設けた連結ピンと、サイド駒の止め穴に至る座ぐり穴を内面側より設けたサイド駒と、そのサイド駒の座ぐり穴に嵌り込んで連結ピンの段部に係合する略半円形の係止部を先端寄り側縁に有する一対の掛止め突起を設けたストッパ片とを備え、軸両端部を外方に突出させて連結ピンを各センター駒の通し穴に挿通し、このセンター駒の隣り合う通し穴より突出する連結ピンの各軸端部をサイド駒の止め穴に差し込んでセンター駒をサイド駒で両側から保持し、更に、ストッパ片をサイド駒の座ぐり穴に嵌め込み、且つ、そのストッパ片の突起を相隣り合う連結ピンの相対間から各段部に弾圧係合させてサイド駒を連結ピンで保持した連鎖部を具備することにより構成されている。
【０００９】
本発明の請求項２に係る腕時計用バンドにおいては、センター駒と相対する側より他側面まで貫通しない止め穴を設けたサイド駒を備えて組み立てた連鎖部を具備することにより構成されている。
【００１０】
本発明の請求項１に係る腕時計用バンドにおいては、相隣り合う連結ピンの相対間から各段部に係合する略半円形の係止部を先端寄り側縁に有する一対の掛止め突起を設けたストッパ片を備えて組み立た連鎖部を具備することにより構成されている。
【００１１】
本発明の請求項１に係る腕時計用バンドにおいては、超硬合金，セラミックス等の超硬質材料で形成したセンター駒並びにサイド駒を備えて組み立てた連鎖部を具備することにより構成されている。
【００１２】
【発明の実施の形態】
以下、添付を参照して説明すると、図１はバックルを除いて、腕時計Ｃを装備した腕時計用バンドＢを側面から示す。この腕時計用バンドＢにおいては、連鎖部ｂ１，連鎖部ｂ２，連鎖部ｂ３，連鎖部ｂ４が各々異なる構造により構成されている。その連鎖部中で、連鎖部ｂ１が主として特殊構造により構成されている。なお、便宜上、腕時計Ｃとの連結側を「腕時計用バンドＢの先端側」とし、腕との接触側を「腕時計用バンドＢの内側」として説明する。
【００１３】
その連鎖部ｂ１は、図２で示すように横方向に貫通する通し穴１０ａ，１０ｂ、１１ａ，１１ｂを側面の両端部寄りに設けた複数個のセンター駒１ａ，１ｂ…と、センター駒１ａ，１ｂ…の各通し穴１０ａ，１０ｂ、１１ａ，１１ｂに挿通する連結ピン２ａ，２ｂと、各センター駒１ａ，１ｂ…の隣り合う通し穴１０ｂ，１１ａより突出する連結ピン２ａ，２ｂの軸端部を差し込む止め穴３０ａ，３０ｂ、３１ａ，３１ｂを側面の両端部寄りに設けたサイド駒３ａ，３ｂとを備えて組み立てられている。
【００１４】
図２は、一連鎖ブロックを組み立てるのに必要な最低限の組立部品を示す。各部品を大きさ等の異なるものが複数個あるうち、一つの部品により説明すると、センター駒１ａは、図３ａ並びに図３ｂで示すように横方向に貫通する通し穴１０ａ，１０ｂを側面の両端部寄りに設け、全体形状を略楕円状に形成すると共に、外側の輪郭縁を面取りすることにより構成されている。
【００１５】
連結ピン２ａは、両軸端部をセンター駒１ａの通し穴１０ａ，１０ｂより外方に突出させて通し穴１０ａ，１０ｂに挿通するもので、その軸径はセンター駒１ａの揺動を許容するようセンター駒１ａの通し穴１０ａ，１０ｂよりも多少細く形成されている。この連結ピン２ａには、図４で示すように軸径を細くする段部２０ａ，２０ｂがセンター駒１ａの通し穴１０ａ，１０ｂより外方に突出する各軸端部に設けられている。
【００１６】
サイド駒３ａは、図５ａ並びに図５ｂで示すように止め穴３０ａ，３０ｂをセンター駒１ａ，１ｂ…と相対する側で側面の両端部寄りに設け、全体形状を略楕円状に形成すると共に、外側の輪郭縁を面取りすることにより構成されている。そのサイド駒３ａの止め穴３０ａ，３０ｂは、センター駒１ａと相対する側より他側面まで貫通しない止め穴として設けられている。また、このサイド駒３ａには内面側より止め穴３０ａ，３０ｂに至る座ぐり穴３０ｃが後述するストッパー片の圧入嵌着用として設けられている。
【００１７】
その各組立部品に加えて、主たる連鎖部ｂ１は、図２で示すようにサイド駒３ａ，３ｂの座ぐり穴３０ｃ，３１ｃに嵌り込んで連結ピン２ａ，２ｂの段部２０ａ，２１ａ、２０ｂ，２１ｂに係合する突起４０ａ，４０ｂ、４１ａ，４１ｂを設けたストッパ片４ａ，４ｂを備えて組み立てられている。
【００１８】
そのストッパ片４ａは、図６で示すように一対の掛止め突起４０ａ，４０ｂ、４１ａ，４１ｂを突起として備えることにより形成されている。この各掛止め突起４０ａ，４０ｂ、４１ａ，４１ｂは、相隣り合う連結ピン（図示せず）の相対間から連結ピンの各段部に係合する略半円形の係止部４０ｃ，４０ｄ、４１ｃ，４１ｄを先端寄り側縁に有するものとして形成されている。また、本体部がサイド駒３ａの座ぐり穴３０ｃを埋めるよう略同一形状に形成されている。
【００１９】
その各部品から連鎖部ｂ１を組み立てるには、軸両端部を外方に突出させて連結ピン２ａ，２ｂをセンター駒１ａ，１ｂの通し穴１０ｂ，１１ａに挿通し、このセンター駒１ａ，１ｂの隣り合う通し穴１０ｂ，１１ａより突出する連結ピン２ａ，２ｂの各軸端部をサイド駒３ａ，３ｂの止め穴３０ａ，３０ｂ、３１ａ，３１ｂに差し込んでセンター駒１ａ，１ｂをサイド駒３ａ，３ｂで両側から保持する。
【００２０】
次に、ストッパ片４ａ，４ｂをサイド駒３ａ，３ｂの座ぐり穴３０ｃ，３１ｃに嵌め込んで、掛止め突起４０ａ，４０ｂ、４１ａ，４１ｂを相隣り合う連結ピン２ａ，２ｂの相対間から各段部２０ａ，２０ｂ、２１ａ，２１ｂに弾圧係合させてサイド駒３ａ，３ｂを連結ピン２ａ，２ｂで保持するよう組み立てればよい。この連鎖ブロックから、後続する各ブロックは上述したように順次繰り返し組み立てることにより連鎖部ｂ１として構成できる。
【００２１】
このように連鎖部ｂ１を構成するときには、図７並びに図８で示すようにセンター駒１ａ，１ｂをサイド駒３ａ，３ｂで両側から確実に保持できると共に、サイド駒３ａ，３ｂの座ぐり穴３０ｃ，３１ｃに嵌め込むストッパ片４ａ，４ｂの掛止め突起４０ａ，４０ｂ、４１ａ，４１ｂを相隣り合う連結ピン２ａ，２ｂの相対間から各段部２０ａ，２１ａ、２０ｂ，２１ｂに係合させてサイド駒３ａ，３ｂを連結ピン２ａ，２ｂで確実に保持できる。
【００２２】
従って、センター駒１ａ，１ｂの通し穴１０ａ，１０ｂ、１１ａ，１１ｂ並びにサイド駒３ａ，３ｂの止め穴３０ａ，３０ｂ、３１ａ，３１ｂについて口径を厳格に管理する必要がないと共に、連結ピン２ａ，２ｂの両軸径も厳格に管理する必要がない。これにより、加工が容易で構造的に簡単な部品から手間を掛けずに組み立てられる。また、サイド駒３ａ，３ｂにはセンター駒１ａ，１ｂと相対する側より他側面まで貫通しない止め穴３０ａ，３０ｂ、３１ａ，３１ｂを設けることにより体裁よく組み立てられる。
【００２３】
この腕時計用バンドでは、上述したと同様に、図７で示す如くセンター駒１ｃ，１ｄをサイド駒３ｃ，３ｄで両側から保持すると共に、サイド駒３ｃ，３ｄの座ぐり穴に嵌め込むストッパ片４ａ，４ｂの掛止め突起を相隣り合う連結ピン５ａ，５ｂの相対間から各段部に係合させてサイド駒３ｃ，３ｄを連結ピン５ａ，５ｂで保持することにより連鎖部ｂ２として構成できる。
【００２４】
その連鎖部ｂ２では、例えば、連結ピン５ａを挿通する止め穴として貫通穴を設けてもよい。この連結ピン５ａの止め穴を貫通穴として設けても、ストッパ片４ａ，４ｂの掛止め突起を相隣り合う連結ピン５ａ，５ｂの各段部に係合し、また、軸止めカラー５ｃを連結ピン５ａの軸線上に嵌め込んでセンター駒１ｃの通し穴に挿通することによりサイド駒３ｃ，３ｄを確実に保持できるよう組み立てられる。
【００２５】
腕時計Ｃとの連結側は、図７で示すようにセンター駒１ａの通し穴１０ａから突出する連結ピン１ｃの軸端部をサイド駒６ａ，６ｂの止め穴に嵌め込み、サイド駒６ａ，６ｂをセンター駒１ａの両側部に連結ピン１ｃで保持させて連鎖部ｂ３を組み立てることにより腕時計Ｃを装備できる。
【００２６】
そのサイド駒６ａ，６ｂは、センター駒1ａの両側に配置するものが左右対称に形成されている。このサイド駒を片側６ａで説明すると、図９ａ，図９ｂで示すようにセンター駒の通し穴から突出する連結ピンの軸端部を嵌め込む止め穴６０，腕時計Ｃのフレーム部を横側から支持する受け縁部６１、腕時計Ｃのフレーム部を下側から支持する段部６２とから形成されている。この連鎖部ｂ３では、腕時計Ｃの支持ピンを挿通する必要から短い連結ピン１ｃを用いることにより組み立てられている。
【００２７】
バックルとの連結側は、図７で示すように端部駒７，バックル取付駒８を備えて連鎖部ｂ４として組み立てられている。端部駒７は、図１０ａ，図１０ｂで示すようにセンター駒１ｅを後端側で受け入れる切欠部７０、両張り出し部７１ａ，７１ｂ、橋絡部７２から平面略コの字状に形成されている。その橋絡部７２から各張り出し部７１ａ，７１ｂには、バックル取付駒８の嵌込み穴７３が内側に設けられている。また、両張り出し部７１ａ，７１ｂにはセンター駒１ｅとの止め穴７４ａ，７４ｂ並びにバックル取付駒８の止め穴７５ａ，７５ｂが設けられている。
【００２８】
それに対し、バックル取付駒８は、図１１ａ，図１１ｂで示すように端部駒の嵌込み穴に組み付ける本体部８０、本体部８０から内方に突出する脚部８１ａ，８１ｂが正面逆コの字状に形成されている。このバックル取付駒８には、端部駒との止め穴８２が本体部８０に貫通穴として設けられ、また、バックル側の支持ピンを挿通する止め穴８３ａ，８３ｂが脚部８１ａ，８１ｂに設けられている。
【００２９】
その端部駒７は、図７，図８で示すように軸線の長い連結ピン９ａを備えてセンター駒１ｅと連結でき、また、バックル取付駒８は端部駒７の嵌込み穴７３に組み付けて軸線の長い連結ピン９ｂで端部駒７に取付け固定できる。これに加えて、軸止めカラー９ｃ，９ｄを連結ピン９ａ，９ｂの軸線上に嵌め込んでセンター駒１ｃの通し穴並びにバックル取付駒８の止め穴８２に挿通することにより各部を確実に組付け保持できる。
【００３０】
上述した簡単な構造から各部を構成するため、センター駒１ａ，１ｂ…並びにサイド駒３ａ，３ｂ…はタングステンカーバイト（ＷＣ），タンタルカーバイト（ＴaＣ），チタニュームカーバイト（ＴｉＣ）等の超硬合金，又はジルコニアセラミックス等の超硬質材料で容易に形成できる。これにより、傷付き等の生じ難い腕時計用バンドBとして構成でき、特に、ジルコニアセラミックス等のセラミック材料から形成するときには金属アレルギーの虞れのある使用者向けとして好適なものに構成できる。
【００３１】
【発明の効果】
以上に如く、本発明の請求項１に係る腕時計用バンドに依れば、軸径を細くする段部をサイド駒の止め穴に差し込む軸両端部に設けた連結ピンと、サイド駒の止め穴に至る座ぐり穴を内面側より設けたサイド駒と、そのサイド駒の座ぐり穴に嵌り込んで連結ピンの相対間から段部に係合する突起を設けたストッパ片とを備え、軸両端部を外方に突出させて連結ピンを各センター駒の通し穴に挿通し、このセンター駒の隣り合う通し穴より突出する連結ピンの各軸端部をサイド駒の止め穴に差し込んでセンター駒をサイド駒で両側から保持し、更に、ストッパ片をサイド駒の座ぐり穴に嵌め込み、且つ、そのストッパ片の突起を相隣り合う連結ピンの相対間から各段部に弾圧係合させてサイド駒を連結ピンで保持した連鎖部を具備することにより、センター駒の各通し穴より外方に突出する連結ピンの各軸端部をサイド駒の止め穴に圧入嵌着する構成によらないで、サイド駒を連結ピンで確実に保持できると共に、センター駒をサイド駒で両側から確実に保持させて構造的に簡単な部品から容易に組み立てられる。
【００３２】
本発明の請求項２に係る腕時計用バンドに依れば、センター駒と相対する側より他側面まで貫通しない止め穴を設けたサイド駒を備えて組み立てた連鎖部を具備することにより体裁の良好なものに組み立てられる。
【００３３】
本発明の請求項１に係る腕時計用バンドに依れば、相隣り合う連結ピンの相対間から各段部に係合する略半円形の係止部を先端寄り側縁に有する一対の掛止め突起を設けたストッパ片を備えて組み立た連鎖部を具備することにより、サイド駒を連結ピンで確実に保持できると共に、センター駒をサイド駒で両側から確実に保持させて組み立てられる。
【００３４】
本発明の請求項１に係る腕時計用バンドに依れば、超硬合金，セラミックス等の超硬質材料で形成したセンター駒並びにサイド駒を備えて組み立てた連鎖部を具備することにより、傷付き等の生じ難い腕時計用バンドして構成でき、特に、ジルコニアセラミックス等のセラミック材料から形成するときには金属アレルギーの虞れのある携帯者向けとして好適なものに構成できる。
【図面の簡単な説明】
【図１】  本発明に係る腕時計用バンドを示す側面図である。
【図２】  同腕時計用バンドの組立に要する最低限の組立部品を展開させて示す仰角斜視図である。
【図３ａ】  同腕時計用バンドの組立に要するセンター駒を示す平面図である。
【図３ｂ】  図３ａのセンター駒を示す側面図である。
【図４】  同腕時計用バンドの組立に要する連結ピンを示す平面図である。
【図５ａ】  同腕時計用バンドの組立に要するサイド駒を示す平面図である。
【図５ｂ】  図５ａのサイド駒を示す側面図である。
【図６】  同腕時計用バンドの組立に要するストッパ片を示す正面図である。
【図７】  同腕時計用バンドの片側を部分的に切り欠いて示す平面図である。
【図８】  図７の腕時計用バンドを部分的に切り欠いて示す側面図である。
【図９ａ】  同腕時計用バンドの組立に要する時計装備側のサイド駒を平面図である。
【図９ｂ】  図９ａのサイド駒を示す側面図である。
【図１０ａ】  同腕時計用バンドの組立に要するバックル装備側の端部駒を示す平面図である。
【図１０ｂ】  図１０ａの端部駒を示す側面図である。
【図１１ａ】  同腕時計用バンドの組立に要するバックル取付け駒を示す正面図である。
【図１１ｂ】  図１１ａのバックル取付け駒を示す側面図である。
【符号の説明】
１ａ，１ｂ…                  センター駒
１０ａ，１０ｂ、１１ａ，１１ｂ    通し穴
２ａ，２ｂ                    連結ピン
２０ａ，２０ｂ、２１ａ，２１ｂ    段部
３ａ，３ｂ…                  サイド駒
３０ａ，３０ｂ、３１ａ，３１ｂ    止め穴
３０ｃ，３１ｃ                座ぐり穴
４ａ，４ｂ                    ストッパ片
４０ａ，４０ｂ、４１ａ，４１ｂ    突起
【図１】
0004534028.tif 000002
【図２】
0004534028.tif 000003
【図３ａ】
0004534028.tif 000004
【図３ｂ】
0004534028.tif 000005
【図４】
0004534028.tif 000006
【図５ａ】
0004534028.tif 000007
【図５ｂ】
0004534028.tif 000008
【図６】
0004534028.tif 000009
【図７】
0004534028.tif 000010
【図８】
0004534028.tif 000011
【図９ａ】
0004534028.tif 000012
【図９ｂ】
0004534028.tif 000013
【図１０ａ】
0004534028.tif 000014
【図１０ｂ】
0004534028.tif 000015
【図１１ａ】
0004534028.tif 000016
【図１１ｂ】
0004534028.tif 000017